(57)【要約】      （修正有）【課題】本発明は、頭部に装着したヘアバンドが、締め付けられたり、ずり上がったりずり下がったりしないヘアバンドを提供する。【解決手段】筒状に形成して、一部に挿入口１０を設けたバンド部の両端部を、ゴム紐が挿入できるよう空間を設けて結合してなる環状帯６を、環状帯の対向部を部分的に連結することで形成される２つの環状帯の中央部付近を、更に連結することで上下２連状の環状帯とし、前記挿入口１０からゴム紐を挿入してなり、２連状の環状帯を耳の上下に位置するよう装着することで、上下のずれを防止することを特徴とする。【選択図】図３
2018093900.tif 000002
【特許請求の範囲】
【請求項１】
筒状に形成して、一部に挿入口を設けた環状部材の両端部を、ゴム紐が挿入できるよう空間を設けて結合してなる環状帯を、環状帯の対向部を部分的に連結することで形成される２つの環状帯の中央部付近を、更に連結することで上下２連状の環状帯とし、前記挿入口からゴム紐を挿入してなり、２連状の環状帯を耳の上下に位置するよう装着することで、上下のずれを防止することを特徴とするヘアバンド。
【請求項２】
筒状に形成した環状部材の両端部を、ゴム紐が挿入できるよう空間を形成して結合した環状帯を２つ用意し、一方には挿入口を設け、前記環状帯の対向する２か所を連結して上下２連の環状帯とし、一方の連結部内にはゴム紐が挿入できる空間を設け、前記挿入口からゴム紐を挿入してなり、２連の環状帯を耳の上下に位置するよう装着することで、上下のずれを防止することを特徴とするヘアバンド。
【請求項３】
筒状に形成した環状部材の両端部を、ゴム紐が挿入できるよう空間を形成して結合した環状帯を２つ用意し、前記２つの環状帯に挿入口を設け、前記環状帯の対向する２か所を連結して上下２連の環状帯とし、前記挿入口からゴム紐を挿入してなり、２連状の環状帯を耳の上下に位置するよう装着することで、上下のずれを防止することを特徴とするヘアバンド。
【発明の詳細な説明】
【技術分野】
【０００１】
本発明は、ヘアバンドに関する。
【背景技術】
【０００２】
従来のヘアバンドには、布を単純に円状に縫い合わせゴム等の伸縮性を利用した物や、ヘアピン等の髪留め具でバンドを頭に固定する物などがあるが、ヘアバンドを利用する上での課題は、装着後にヘアバンドが上下にずれてしまうことにある。
【０００３】
特開平１１−２４４０２９においては、輪状に形成された伸縮性のないヘアバンドで、前記ヘアバンドに耳かけ穴２か所と、留め具を通すループ穴を複数ヶ所設け、耳かけ穴に耳を通すことで遮音を解消し、ループ穴から留め具を用いて髪の毛とヘアバンドを固定する技術が記載されているが、ヘアバンドの上下へのずれに対する効果は見込めず、ヘアバンドと留め具を別々に準備しなければいけないこと、複数の留め具（ヘアピン等）の取り付けが必要となり、着脱に手間がかかり利便性を損なうこと、取付の具合・髪質・髪の量などによって効果が左右されること、伸縮性のないバンドであるため髪の毛のまとまり感に乏しいなどの課題がある。
【先行技術文献】
【特許文献】
【０００４】
【特許文献１】特開平１１−２４４０２９号（要約書、図５）
【発明の概要】
【発明が解決しようとする課題】
【０００５】
従来のヘアバンドには、布を単純に円状に縫い合わせゴム等の伸縮性を利用した物や、ヘアピン等の留め具により布を頭に固定したりする物などがある。
ゴム等の伸縮性を利用したヘアバンドは、洗顔時・化粧時など使用中の体の動きなどによって、ずり上り・ずり下がりが起こったり締め付けられたりする事が起きやすい。また、留め具によりバンドを頭に固定する物は、留め具の準備とその取り付けが必要となり、着脱に手間がかかることや、髪の固定が不十分で時間の経過と共に髪がほつれて垂れてくる事は容易に想像できる。
【０００６】
本発明は以上に述べた実情に艦がみ、頭部へ装着後のヘアバンドの上下へのズレを防止すること、併せて、前髪や側頭部の髪垂れを防ぎ、着脱が容易で、快適な装着性を維持し、締めつけ感、耳塞ぎ感の問題などを解決することを課題とする。
【課題を解決するための手段】
【０００７】
筒状に形成して、一部に挿入口を設けた環状部材の両端部を、ゴム紐が挿入できるよう空間を設けて結合してなる環状帯を、環状帯の対向部を部分的に連結することで形成される２つの環状帯の中央部付近を、更に連結することで上下２連状の環状帯とし、前記挿入口からゴム紐を挿入してなり、２連状の環状帯を耳の上下に位置するよう装着することで、上下のズレを防止することを特徴とする。
【発明の効果】
【０００８】
本発明のヘアバンドは、２連状の環状帯を耳の上下に配することで、上下のズレを防止することができ、併せて、装着性と装着感が向上するとともに、前髪や側頭部の髪垂れをしっかり防ぐことができる。
【０００９】
また、従来は女性の洗顔時や化粧時の使用が主だっていたが、本発明により長時間の快適な装着が可能となるため、家事・リラックス時・スポーツ時などの汗止めなど生活全般において、男性においても活用できるものである。
【００１０】
更に、高度な衛生環境が求められる製造現場などにおいても、本ヘアバンドで髪止めをしたのち衛生キャップを被ることによって、髪の毛やフケなどが落下して製品に混入したりするなどの事故を防ぐことに役立ち、衛生面の更なる向上が期待でき、宿泊施設などの業務用の消耗品として、サービスの向上に役立つことも期待できる。
【００１１】
さらに、２連状の環状帯の中を通るゴムは１本であるため、２つの環状帯内のゴム紐の長さが調整でき、これにより締めつけ感を回避し装着感が向上するとともに、手軽な脱着感を得られ、耳塞ぎもなく、しっかり髪が押さえられ長時間の快適な装着が可能となる。
【図面の簡単な説明】
【００１２】
【図１】縫合前の環状部材の平面図
【図２】縫合後の環状部材の正面図
【図３】環状帯の斜視図
【図４】１ヶ所連結した環状帯の斜視図
【図５】２ヶ所連結した環状帯の斜視図
【図６】完成したヘアバンドの一例の斜視図
【図７】ゴム経路を示す斜視図
【図８】ヘアバンドの装着状態を示す側面図
【図９】２つの環状帯を用いたヘアバンドの一例の斜視図
【図１０】ゴム経路を示す斜視図
【図１１】ヘアバンドの装着状態を示す側面図
【発明を実施するための形態】
【００１３】
本発明のヘアバンドについて、図面を引用して説明する。
【実施例１】
【００１４】
本ヘアバンドは、一つの環状部材を２か所連結することで、環状帯を２連状に配したことを特徴とする。
図２、図３に示すように、環状部材を内部に空間を設けて筒状に縫合または結合し、縫合または結合の一部にゴム紐を挿入する挿入口１０を設け、環状部材の両端部を、ゴム紐の経路を確保して結合し環状帯６を形成する。
次に図４、図５に示すように、環状帯６の対向部を連結部材３aを用い部分的に連結し、もう一方の対向部を連結部材３ｂを用い連結することで、上下２連状の環状帯を形成する。ひとつの環状帯を２か所連結して２つの環状帯を形成しているため、２つの環状帯は厳密には２連ではないので２連状と表現している。
【００１５】
２連状の環状帯に図７に示すように、挿入口１０からゴム紐を挿入し、ゴム紐の両端部を連結することで、ヘアバンドは完成する。
２連状の環状帯の中に挿入するゴム紐は１本で経路できるようになっている。これにより、装着した時の２つの環状帯が頭部の位置により径が違うことに合わせ、ゴム紐の配置を調整ことで、締め付け具合が調整できるため、頭部に負担のない快適な装着を実現している。図８はヘアバンドの装着状態を示す側面図である。
【００１６】
本ヘアバンドの特徴は、２連状の環状帯で形成される開口部２ａ及び２ｂにある。
この開口部に耳を入れることにより、耳がヘアバンドの上下移動の防止につながり、装着位置が安定する。連結部を除いた部分が開口部となるため、耳を入れる位置の自由度も向上する。
【００１７】
次に本ヘアバンドの製作手順について説明する。
図１に示すように、例えば、横１ｍ６０ｃｍ、縦１２ｃｍの布を用意し、一端部と他端部を、縦方向において両端に１ｃｍ程度の縫い代をとり中心部である山折り部８より半分に折ったあと、内部に空間を設けて縫合または結合し筒状に形成する。
【００１８】
つぎに、環状部材を４等分となるように、環状部材の折合わせ部４側に、環状部材の連結位置５ａ及び５ｂと、山折り部８側に環状部材の連結位置５ｃ及び５ｄの位置決めをしておく。
ここで、別布で作成した連結部材３aの一方を、環状部材の連結位置５aに仮止めすると共に、連結部材３aの他方を環状部材の連結位置５ｂに仮止めをし、挿入口１０を除き、環状部材の折合わせ部４を縫合する。縫合に替えて接着剤で結合してもよい。
【００１９】
同様に、別布で作成した連結部材３ｂの一方を、環状部材の連結位置５ｃに仮止めすると共に、連結部材３ｂの他方を環状部材の連結位置５ｄに仮止めし縫合する。縫合に替えて接着剤で結合してもよい。
環状部材の折合わせ部４側の５ａ及び５ｂと、山折り部８側の５ｃ及び５ｄを縫合または結合することで開口部２ａ及び２ｂを設けることができる。
【００２０】
最後にゴム紐の挿入口１０よりゴムを挿入し環状部材内に挿入し、両端を結ぶ、または縫合して完成する。ひとつの環状帯を２か所連結した構造であるため、２連状の環状帯の中に挿入するゴム紐は１本で経路できるようになっている。図３は環状帯の斜視図、図４は１ヶ所連結した環状帯の斜視図、図５は２ヶ所連結した環状帯の斜視図、図６は完成したヘアバンドの一例の斜視図、図７はゴム経路を示す斜視図である。
【実施例２】
【００２１】
図９に示すように、ほぼ同じ大きさの２つの環状帯を２つ用意し、各々を連結部材３ａ、３ｂによって連結し２連に形成してもよい。筒状に形成した環状部材の両端部を、ゴム紐が挿入できるよう空間を設けて結合した環状帯を２つ用意する。一方の環状帯には挿入口を設け、前記環状帯の対向する２か所を結部材３ａ、３ｂにて連結して上下２連の環状帯を形成する。図１１に示すように、一方の連結部材の内部にはゴム紐が挿入できる空間を設け、挿入口１０からゴム紐を挿入し、ゴム紐の両端部を結合することで完成する。空間を設けた連結部材内を経路するゴム紐は、連結部材内で交差させる。
【００２２】
本ヘアバンドの特徴は、２連状の環状帯で形成される開口部２ａ及び２ｂにある。
この開口部に耳を入れることにより、耳がヘアバンドの上下移動を防止し、装着位置が安定する。連結部分を除いた部分が開口部となるために耳を入れる位置の自由度も向上する。
【００２３】
加えて、片側の連結部材内部にはゴム紐が挿入できる空間を確保することにより、２連状の環状帯の中に挿入するゴム紐は１本で経路できるようになっている。これにより、装着した時の２つの環状帯が頭部の位置により径が違うことに合わせ、ゴム紐の配置を調整ことで、締め付け具合が調整できるため、頭部に負担のない快適な装着を実現している。図１２はヘアバンドの装着状態を示す側面図である。
【００２４】
次に製作手順について図面を引用して説明する。
例えば、横８０ｃｍ、縦１２ｃｍの布を２枚用意し、２枚それぞれに一端部と他端部を繋げて環状部材を形成する。つぎに２枚それぞれに縦方向において、両端に１ｃｍ程度の縫い代をとり山折り部８より半分に折る。
【００２５】
次に、別布で作成した連結部材３ａを、例えば横１０ｃｍ、縦５ｃｍの布に、その４辺に１ｃｍの縫い代を配し、環状部材の横方向から二つ折りにしたものの一方を、折合わせ部４を開放した状態で、環状部材の折合わせ部４の任意の一点に仮止めすると共に、連結部材３aの他方を、もう一方の環状部材の任意の一点に仮止めし、共に縫合する。
【００２６】
この時連結部材３aは二つ折りの状態ではなく開いた状態で仮止めし、横１０ｃｍの長さのうち５ｃｍを縫合する。もう一つの連結部材３ｂの一方及び他方を、開放した状態の環状部材の二等分の位置に仮止めし本縫いする。この場合も連結部材は二つ折り状態ではなく開いた状態で仮止めし横１０ｃｍのうち５ｃｍを縫合する。
【００２７】
次に、連結部材を半分に折り合わせた状態で環状部材を中折りにし、連結部材部分とゴム挿入口を除いた全てを縫い合わせる。そのあと、本縫いしていない側の連結部材３a、連結部材３ｂの折合わせ位置をまつり縫いとする。この作業は環状部材内にゴム紐を通すための空洞を確保するためである。その時点で縫い合わされていない連結部材の縫い合わせ部は、連結部材とゴム用の空洞部の縫い合わせを防ぐためであり、かつ作業の自由度を高め効率的に遂行するためのものである。
最後に、ゴム挿入口よりゴムを環状部材内に通し、端と端を結んでまたは縫い合わせて完成させる。
【実施例３】
【００２８】
２連の環状帯の中を空洞として繋げない事も可能である。
その場合の製法は、すでに縫合し３ａ、３ｂとして形成された連結部材を、２本の環状部材の折合わせ部に挟みこむよう配置し、２本の環状部材のそれぞれにゴムを挿入するための２カ所のゴムの挿入口以外の折り合わせ部分を縫い合わせ、ゴムを挿入、貫通させ、縫合するか結び完成する。
【００２９】
この製法の場合、装着時のゴムの長さ調整は不可能となるが、施工面においてはゴム貫通部を空洞にする製作方法と比較し容易となる。
上記のように、本発明によるヘアバンドは、連結部材により連結することで現出する開口部に耳を挟みこむ事ができるため、ずり上がり・ずり下がりの防止となる。
【００３０】
さらに、２連の環状部材の中を通るゴムは１本であるため、耳の上下でそれぞれの環状部材の長さの調整が可能となる。
よって締めつけ感を回避し装着感が向上するとともに手軽な脱着感を得られ、耳塞ぎもなく、しっかり髪が押さえられ長時間の快適な装着が可能となる。
【００３１】
本発明は、以上に述べた実施形態に限定されない。
素材の質や厚みによっては、連結部材の連結方法によってゴムの通りを阻害しヘアバンドの長さの調整に手間が掛り、仕上がりの美観を損ねる場合がある。その場合には連結部材の端部の仕上げ処理を施したうえでヘアバンド表面に直接縫い合わせる等の別な方法もある。ゴムの通り道を阻害せず、仕上りの美観に影響しないのであれば連結方法は限定するものではない。
【００３２】
縫製や接着が可能で髪や皮膚にストレスを与えない素材であれば素材は布に限定するものではない。例えば宿泊施設など使用回数を限定するような用途の場合などは紙等の素材を採用したり、浴室など湿度の高い場所や生産現場における衛生面向上を目的とする場合にはビニール等の素材を採用したりできる。
【産業上の利用可能性】
【００３３】
本発明のヘアバンドは、工業生産が可能である。
【符号の説明】
【００３４】
１  耳
２  開口部（２a、２b）
３  連結部材（３a、３b）
４  環状部材の折合わせ部
５  環状部材の連結位置（５a、５b、５c、５d）
６  環状帯
８  山折り部
９  縫合位置
１０  挿入口
１１  ゴム経路
１２  ヘアバンド本体
【図１】
2018093900.tif 000003
【図２】
2018093900.tif 000004
【図３】
2018093900.tif 000005
【図４】
2018093900.tif 000006
【図５】
2018093900.tif 000007
【図６】
2018093900.tif 000008
【図７】
2018093900.tif 000009
【図８】
2018093900.tif 000010
【図９】
2018093900.tif 000011
【図１０】
2018093900.tif 000012
【図１１】
2018093900.tif 000013
【手続補正書】
【提出日】平成29年2月23日(2017.2.23)
【手続補正１】
【補正対象書類名】特許請求の範囲
【補正対象項目名】全文
【補正方法】変更
【補正の内容】
【特許請求の範囲】
【請求項１】
筒状に形成して、一部に挿入口を設けた環状部材の両端部を、ゴム紐が挿入できるよう空間を設けて結合してなる環状帯を、環状帯の対向部を部分的に連結することで形成される２つの環状帯の中央部付近を、更に連結することで上下２連状の環状帯とした２連状の環状帯と、前記挿入口から挿入され、２連状の環状帯を通り、両端部が結合されたゴム紐とを有したヘアバンドであって、２連状の環状帯を耳の上下に位置するよう装着することで、上下のずれを防止することを特徴とするヘアバンド。
【請求項２】
筒状に形成した環状部材の両端部を、ゴム紐が挿入できるよう空間を形成して結合した環状帯を２つ用意し、一方には挿入口を設け、前記環状帯の対向する２か所を２つの連結部材で連結して上下２連の環状帯とした２連の環状帯と、一方の連結部材内にはゴム紐が挿入できる空間が設けられ、前記挿入口から挿入され、２連の環状帯及び一方の連結部材を通り、両端部が結合されたゴム紐とを備えたヘアバンドであって、２連の環状帯を耳の上下に位置するよう装着することで、上下のずれを防止することを特徴とするヘアバンド。
【請求項３】
筒状に形成した環状部材の両端部を、ゴム紐が挿入できるよう空間を形成して結合した環状帯を２つ用意し、前記２つの環状帯にそれぞれ挿入口を設け、前記環状帯の対向する２か所を連結して上下２連の環状帯とした２連の環状帯と、前記挿入口から挿入され、それぞれの環状帯を通り、両端部が結合されたゴム紐とを備えたヘアバンドであって、２連の環状帯を耳の上下に位置するよう装着することで、上下のずれを防止することを特徴とするヘアバンド。